(57)【要約】      （修正有）【課題】開封時に内容物若しくはその液分が飛び出しても、周囲が汚れるのを抑制する。【解決手段】開口部１１を有するカップ体１２と、このカップ体の開口端縁からその径方向外方に張り出したフランジ状部１３と、このフランジ状部の外周縁に径方向外方に向けて突設された平板状の引き上げ片１４と、外周縁部が、フランジ状部および引き上げ片の各表面に剥離可能に接着されて、開口部を閉塞するシール材１５と、が備えられるとともに、引き上げ片は、開口部の開口方向Ａに折り曲げられたときに破断する弱化部１６を介してフランジ状部の外周縁に連結された容器１０であって、引き上げ片の裏面における弱化部側の基端部に、その幅方向に沿って延びる受板１７が垂設されている。【選択図】図１
2008239175.tif 000002
【特許請求の範囲】
【請求項１】
開口部を有するカップ体と、
このカップ体の開口端縁からその径方向外方に張り出したフランジ状部と、
このフランジ状部の外周縁に前記径方向外方に向けて突設された平板状の引き上げ片と、
外周縁部が、前記フランジ状部および引き上げ片の各表面に剥離可能に接着されて、前記開口部を閉塞するシール材と、が備えられるとともに、
前記引き上げ片は、前記開口部の開口方向に折り曲げられたときに破断する弱化部を介して前記フランジ状部の外周縁に連結された容器であって、
前記引き上げ片の裏面における前記弱化部側の基端部に、その幅方向に沿って延びる受板が垂設されていることを特徴とする容器。
【請求項２】
請求項１記載の容器であって、
前記フランジ状部の表面において前記引き上げ片に前記カップ体の径方向で連なる部分には、前記カップ体の開口端縁から前記径方向の外方に向けて延びる溝部が形成されていることを特徴とする容器。
【請求項３】
請求項２記載の容器であって、
前記溝部は前記受板よりも前記幅方向の大きさが小さく、かつそれぞれの前記幅方向の中央部が一致していることを特徴とする容器。
【発明の詳細な説明】
【技術分野】
【０００１】
本発明は、容器に関するものである。
【背景技術】
【０００２】
この種の容器として、例えば下記特許文献１に示されるような、開口部を有するカップ体と、このカップ体の開口端縁からその径方向外方に張り出したフランジ状部と、このフランジ状部の外周縁に前記径方向外方に向けて突設された平板状の引き上げ片と、外周縁部が、フランジ状部および引き上げ片の各表面に剥離可能に接着されて、前記開口部を閉塞するシール材と、が備えられるとともに、引き上げ片は、前記開口部の開口方向に折り曲げられたときに破断する弱化部を介してフランジ状部の外周縁に連結された構成が知られている。なお、この容器には、例えばコーヒー用ミルク若しくはゼリー等の食品が収納される。
この容器を開封するには、まず、引き上げ片を、シール材のうちこの引き上げ片の表面に接着されている引き上げ片部分とともに、前記開口部の開口方向に引き上げることにより、弱化部を折り曲げて破断し、その後さらに、この引き上げ片をシール材の前記引き上げ片部分とともに、カップ体の径方向内方に向けて引き上げ、シール材をフランジ状部の表面から剥がすことによって、前記開口部を開放させカップ体の内部と外部とを連通させる。
【特許文献１】特開２００３−２８５８５４号公報
【発明の開示】
【発明が解決しようとする課題】
【０００３】
しかしながら、前記従来の容器では、前述のように開封したときに、この容器の内容物若しくはその液分が飛び出して周囲が汚れるという問題があった。
このような問題を解決するために、例えば上記特許文献１に示されるように種々の手段が提案されているが、このような手段を講じても、容器の内容物若しくはその液分が飛び出す量は低減できるものの、飛び出すこと自体を防止することはできなかった。
【０００４】
本発明は、このような事情を考慮してなされたもので、開封時に内容物若しくはその液分が飛び出しても、周囲が汚れるのを抑制することができる容器を提供することを目的とする。
【課題を解決するための手段】
【０００５】
上記課題を解決して、このような目的を達成するために、本発明の容器は、開口部を有するカップ体と、このカップ体の開口端縁からその径方向外方に張り出したフランジ状部と、このフランジ状部の外周縁に前記径方向外方に向けて突設された平板状の引き上げ片と、外周縁部が、前記フランジ状部および引き上げ片の各表面に剥離可能に接着されて、前記開口部を閉塞するシール材と、が備えられるとともに、前記引き上げ片は、前記開口部の開口方向に折り曲げられたときに破断する弱化部を介して前記フランジ状部の外周縁に連結された容器であって、前記引き上げ片の裏面における前記弱化部側の基端部に、その幅方向に沿って延びる受板が垂設されていることを特徴とする。
この発明によれば、引き上げ片の裏面における基端部に、その幅方向に沿って延びる受板が垂設されているので、この容器を開封したときに内容物若しくはその液分が外部に飛び出しても、この内容物等を受板で受け止めることが可能になり、周囲が汚れるのを防ぐことができる。
【０００６】
ここで、前記フランジ状部の表面において前記引き上げ片に前記カップ体の径方向で連なる部分には、前記カップ体の開口端縁から前記径方向の外方に向けて延びる溝部が形成されてもよい。
この場合、フランジ状部の表面において引き上げ片にカップ体の径方向で連なる部分に前記溝部が形成されているので、この容器を開封したときに内容物若しくはその液分が飛び出す方向、およびその幅を、前記溝部が延在する方向、およびこの溝部の幅に近付けることが可能になり、前述の作用効果が確実に奏功されることになる。
【０００７】
また、前記溝部は前記受板よりも前記幅方向の大きさが小さく、かつそれぞれの前記幅方向の中央部が一致してもよい。
この場合、容器の開封時に飛び出した内容物若しくはその液分をより一層確実に受板で受け止めることが可能になる。
【発明の効果】
【０００８】
この発明に係る容器によれば、開封時に内容物若しくはその液分が飛び出しても、周囲が汚れるのを抑制することができる。
【発明を実施するための最良の形態】
【０００９】
以下、図面を参照し、この発明の実施の形態について説明する。
本実施形態に係る容器１０は、図１から図３に示されるように、開口部１１を有するカップ体１２と、カップ体１２の開口端縁からその径方向外方に張り出したフランジ状部１３と、このフランジ状部１３の外周縁に前記径方向外方に向けて突設された平板状の引き上げ片１４と、外周縁部が、フランジ状部１３および引き上げ片１４の各表面に剥離可能に接着されて、開口部１１を閉塞するシール材１５と、を備えている。そして、引き上げ片１４は、開口部１１の開口方向Ａに折り曲げられたときに破断する弱化部１６を介してフランジ状部１３の外周縁に連結されている。
【００１０】
なお、フランジ状部１３は、カップ体１２の開口端縁の全周にわたって連結されている。また、引き上げ片１４の表面とフランジ状部１３の表面とはほぼ面一となっている。さらに、カップ体１２の横断面視形状は円環状となっている。そして、これらのカップ体１２、フランジ状部１３および引き上げ片１４は同一の材質で一体に形成されており、これら全体の上面視形状およびその寸法は、シール材１５の平面視形状およびその寸法とほぼ同等となっている。また、弱化部１６は、フランジ状部１３の外周縁と引き上げ片１４との連結部分における裏面に、この引き上げ片１４の幅方向Ｂの全長にわたって連続して延設された薄肉部となっている。
【００１１】
そして、本実施形態では、引き上げ片１４の裏面における弱化部１６側の基端部に、その幅方向Ｂに沿って延びる受板１７が垂設されている。図示の例では、受板１７は、引き上げ片１４の基端部における前記幅方向Ｂの全長にわたって延在している。
また、フランジ状部１３の表面において引き上げ片１４にカップ体１２の径方向で連なる部分には、図２に示されるように、カップ体１２の開口端縁から前記径方向の外方に向けて延びる溝部１８が形成されている。これにより、溝部１８は、カップ体１２の内部と開口部１１を介して連通している。図示の例では、溝部１８は、フランジ状部１３の表面における前記径方向の全長にわたって延在している。
【００１２】
さらに、溝部１８は、カップ体１２の開口端縁からカップ体１２の径方向外方に向けて、引き上げ片１４の表面において弱化部１６および受板１７の各配設位置と対応する部分を通り、さらにこの引き上げ片１４の先端部にまで到達している。また、本実施形態では、溝部１８の前記幅方向Ｂにおける大きさは、引き上げ片１４の基端部および受板１７それぞれの前記幅方向Ｂの大きさよりも小さくなっている。さらに、これらの溝部１８、および引き上げ片１４それぞれの前記幅方向Ｂの中央部は一致している。
【００１３】
以上のように構成された容器１０では、その開封に際し、まず、引き上げ片１４を、シール材１５のうちこの引き上げ片１４の表面に接着されている引き上げ片部分とともに、開口部１１の開口方向Ａに引き上げ、弱化部１６を折り曲げて破断する。この際、溝部１８が、フランジ状部１３の表面における前記径方向の全長にわたって延在しているので、カップ体１２の内部と外部とが、溝部１８のうちフランジ状部１３の表面に形成された部分を介して連通する。
【００１４】
その後さらに、この引き上げ片１４をシール材１５の前記引き上げ片部分とともに、カップ体１２の径方向内方に向けて引き上げることによって、シール材１５においてフランジ状部１３の表面に接着されている部分を剥がして、開口部１１を開放させる。
【００１５】
以上説明したように本実施形態に係る容器１０によれば、引き上げ片１４の裏面における基端部に、その幅方向Ｂに沿って延びる受板１７が垂設されているので、この容器１０を開封したときに内容物若しくはその液分が外部に飛び出しても、この内容物等を受板１７で受け止めることが可能になり、周囲が汚れるのを防ぐことができる。
【００１６】
また、本実施形態では、フランジ状部１３の表面において引き上げ片１４にカップ体１２の径方向で連なる部分に溝部１８が形成されているので、この容器１０を開封したときに内容物若しくはその液分が飛び出す方向、およびその幅を、溝部１８が延在する方向、およびこの溝部１８の幅に近付けることが可能になり、前述の作用効果が確実に奏功されることになる。
【００１７】
さらに、本実施形態では、溝部１８が受板１７よりも幅が小さく、かつそれぞれの幅方向Ｂの中央部が一致しているので、容器１０の開封時に飛び出した内容物若しくはその液分をより一層確実に受板１７で受け止めることが可能になる。
【００１８】
さらにまた、本実施形態では、溝部１８が、フランジ状部１３の表面において引き上げ片１４にカップ体１２の径方向で連なる部分における前記径方向の全長にわたって延在しているので、前述のように弱化部１６を折り曲げて破断するのと同時に、カップ体１２の内部と外部とが、溝部１８のうちフランジ状部１３の表面に形成された部分を介して連通することになる。すなわち、容器１０を開封する過程において、この容器１０の内容物若しくはその液分が外部に飛び出し易い、カップ体１２の内部と外部とを初めて連通させる開口部、つまり溝部１８のうちフランジ状部１３の表面に形成された部分に対して受板１７を近接させておくことが可能になり、この内容物若しくはその液分を確実に受板１７で受け止めさせることができる。
【００１９】
なお、本発明の技術的範囲は前記実施の形態に限定されるものではなく、本発明の趣旨を逸脱しない範囲において種々の変更を加えることが可能である。
例えば、前記実施形態では、フランジ状部１３の表面において引き上げ片１４にカップ体１２の径方向で連なる部分に、カップ体１２の径方向における全長にわたって延びる溝部１８を形成したが、この溝部１８は形成しなくてもよいし、あるいは溝部１８は、カップ体１２の開口端縁からその径方向の外方に延在していれば、フランジ状部１３の前記径方向における全長にわたって形成しなくてもよい。
【００２０】
さらに、溝部１８の幅を受板１７よりも小さくしたが、受板１７と同等にしてもよい。
また、溝部１８および受板１７の前記幅方向Ｂにおける各中央部を一致させたが、それぞれの幅方向位置を互いに異ならせてもよい。
さらに、前記実施形態では、弱化部１６として、フランジ状部１３の外周縁と引き上げ片１４との連結部分における裏面に、この引き上げ片１４の幅方向Ｂの全長にわたって連続して延設された薄肉部を示したが、これに代えて例えば、断続的に点在させた薄肉部若しくは貫通孔としてもよいし、あるいはこの弱化部１６を前記連結部分の表面に形成してもよい。
【産業上の利用可能性】
【００２１】
開封時に内容物若しくはその液分が飛び出しても、周囲が汚れるのを抑制することができる。
【図面の簡単な説明】
【００２２】
【図１】本発明に係る一実施形態として示した容器の縦半断面図である。
【図２】図１に示す容器において、カップ体、フランジ状部および引き上げ片の上面図である。
【図３】図１および図２に示す容器において、開封して内容物若しくはその液分が外部に飛び出している状態を示す縦半断面図である。
【符号の説明】
【００２３】
１０  容器
１１  開口部
１２  カップ体
１３  フランジ状部
１４  引き上げ片
１５  シール材
１６  弱化部
１７  受板
１８  溝部
Ａ  開口方向
Ｂ  幅方向
【図１】
2008239175.tif 000003
【図２】
2008239175.tif 000004
【図３】
2008239175.tif 000005